(57)【要約】【課題】基板支持板に装着されている基板の導線接続部に接続される導線の中間の仮止め及び解除の作業性を向上することができる電子機器、及び表示装置を提供する。【解決手段】導線接続部を有し、電子部品を実装してなる複数の基板２２，２３を基板支持板３に取付け、該基板支持板３に、前記導線接続部に接続される導線４１，４２，４３の中間を掴む掴部及び係止凸部を有するクランプ５の前記係止凸部を基板２２，２３と反対側から抜脱を可能に係止すべき複数の係止孔３３を設けた。【選択図】図９
2008197579.tif 000002
【特許請求の範囲】
【請求項１】
導線接続部を有し、電子部品を実装してなる基板と、一面に該基板を取付けてある基板支持板とを備える電子機器において、前記基板支持板は、前記導線接続部に接続される導線を掴む掴部及び係止凸部を有するクランプの前記係止凸部を前記基板と反対側から抜脱を可能に係止すべき係止孔を設けてあることを特徴とする電子機器。
【請求項２】
前記係止孔は第１孔部及び該第１孔部の縁に連なり、前記係止凸部が挿入される第２孔部を有し、前記第１孔部は前記係止凸部の挿入方向と交差する方向へ移動されることにより該係止凸部を抜脱することを可能としてある請求項１記載の電子機器。
【請求項３】
前記導線接続部は基板の面方向へ離隔した複数箇所に配してあり、前記係止孔は、各導線接続部に対応する個数を配してあり、各係止孔の各第１孔部を各第２孔部に対して同じ方向に配してある請求項２記載の電子機器。
【請求項４】
前面第１孔部は大径の円形をなし、前記第２孔部は小径の円形をなし、前記第１孔部と第２孔部とは重なっている請求項２又は３記載の電子機器。
【請求項５】
前記基板支持板は、前記基板側へ立上り、且つ基板支持板が支持される支持部材に取付けられるべき複数の立上部を有する請求項１乃至４のいずれか一つに記載の電子機器。
【請求項６】
一端が前記導線接続部に接続され、他端にコネクタを有する導線と、該導線を掴んでいる掴部及び前記係止孔に抜脱を可能に係止されている係止凸部を有するクランプとを備える請求項１乃至５のいずれか一つに記載の電子機器。
【請求項７】
前側に表示面を有し、後側に第２導線接続部を有する表示部と、該表示部の後側に取付けられる請求項１乃至５のいずれか一つに記載の電子機器と、一端が前記導線接続部に接続され、他端が前記第２導線接続部に接続されている導線と、該導線を掴んでいる掴部及び前記表示部に係止されている係止凸部を有するクランプとを備えることを特徴とする表示装置。
【請求項８】
前記基板支持板の係止孔から抜脱された前記係止凸部が嵌挿される嵌挿孔を前記表示部の後側の面に設けてある請求項７記載の表示装置。
【請求項９】
前記導線接続部は基板の面方向へ離隔した複数箇所に配してあり、前記嵌挿孔は前記後側の面方向へ離隔した複数箇所に配してあり、各嵌挿孔側に前記係止孔を配してある請求項８記載の表示装置。
【請求項１０】
前記電子機器は、基板の実装面が前記表示部の後側の面と対向している請求項７乃至９のいずれか一つに記載の表示装置。
【発明の詳細な説明】
【技術分野】
【０００１】
本発明は電子部品を実装してなる基板を有する電子機器、及び該電子機器を備える液晶表示装置、プラズマ表示装置、ＳＥＤディスプレイ、ＥＬディスプレイ等の表示装置に関する。
【背景技術】
【０００２】
映像を表示する表示面を前側に有する液晶テレビジョン、プラズマテレビジョン等の薄型表示装置は例えば特許文献１に開示されている。
【０００３】
図１０は従来の表示装置の構成を示す模式的断面図、図１１は従来の表示装置の構成を示す後側の模式的斜視図である。薄型の表示装置は、前側にパネル部１００を有し、後側に該パネル部１００へ光を照射するバックライト部１０１を有する表示部１０２の後側の面１０２ａに、バックライト部１０１を駆動するインバータ回路基板１０３，１０３と、パネル部１００の駆動及び制御を行う制御回路基板１０４と、パネル部１００に表示する映像を処理させるメイン回路基板１０５及びサブ回路基板１０６と、メイン回路基板１０５及びサブ回路基板１０６に電圧を供給する電源回路基板１０７とが取付けられており、また、電源回路基板１０７等の各基板と表示部１０２に搭載されている電子部品とを接続する複数の導線１０８、及び各導線１０８の中間を掴み、前記後側の面１０２ａに固定されるクランプ１０９が設けられている。
【０００４】
インバータ回路基板１０３，１０３及び制御回路基板１０４は後側の面１０２ａに直接取付けられ、メイン回路基板１０５，サブ回路基板１０６及び電源回路基板１０７は一枚の板体からなる基板支持板１１０に後側の面１０２ａと平行的に並べて取付けられ、該基板支持板１１０が表示部１０２の後側の面に搭載されている。
【０００５】
また、電源回路基板１０７等の各基板には一つ又は複数の導線接続部１０５ａ，１０６ａ，１０７ａが設けられており、この導線接続部１０５ａ，１０６ａ，１０７ａに導線１０８の一端がコネクタにより接続され、導線１０８の他端が、表示部１０２に搭載されている複数の電子部品にコネクタにより接続される。
【０００６】
クランプ１０９は導線１０８の中間を掴む掴部及び表示部１０２の後側の面１０２ａに開設されている嵌挿孔１０２ｂに嵌挿固定される係止凸部とを有する（例えば、特許文献２参照）。
【特許文献１】特開２００５−１９１７８７号公報
【特許文献２】特開２００３−１６８８７８号公報
【発明の開示】
【発明が解決しようとする課題】
【０００７】
ところで、メイン回路基板１０５等の基板が取付けられている基板支持板１１０が表示部１０２の後側の面１０２ａと対向し、該基板支持板１１０の後側に基板上の電子部品が配置される表示装置にあっては、メイン回路基板１０５等の基板の電子部品及び導線接続部が表示部１０２の後側で外部に露出しているため、基板支持板１１０が前記後側の面１０２ａに取付けられた後、基板の導線接続部に導線１０８を支障なく接続することができる。
【０００８】
ところが、本発明出願人が先に開発した表示装置は、基板支持板に取付けられている基板の実装面が表示部の後側の面と対向し、基板に実装されている電子部品及び導線接続部が、基板と前記後側の面との間に配置され、基板支持板が基板を隠しているため、基板支持板が前記後側の面に取付けられた後では導線を基板の導線接続部に接続することができない。因って、基板支持板が取付けられる前に、基板の導線接続部に導線を接続する必要がある。
【０００９】
しかし、基板支持板が取付けられる前には、基板支持板から導線が垂れることになり、この導線が基板支持板を表示部の後側の面に取付ける際の邪魔になる。また、複数の基板支持板が梱包箱に梱包して搬送され、表示装置の組立現場で梱包箱から取出されるような場合、導線同士が絡み合って基板支持板の取扱性が悪いし、また、導線及び接続部が傷つき易くなる。これらの問題に対して、導線の中間を基板支持板の基板と反対側の面に粘着テープで仮止めし、基板支持板が表示部に取付けられる際、粘着テープを取外し、導線を所定の導線接続部に接続する。その後、導線の中間を、表示部の後側の面に前記クランプにより固定することが考えられる
【００１０】
ところが、導線の中間を粘着テープで仮止めした場合、粘着テープの取付けにばらつきが発生し易いため、場合によっては外れてしまうこともある。また、粘着テープをはがす手間もかかり、仮止めのためだけに粘着テープを用いるのは廃棄物削減の面からも問題であり、最善策が要望されていた。
【００１１】
本発明は斯かる事情に鑑みてなされたものであり、主たる目的は一面に基板が取付けられる基板支持板に、クランプの係止凸部を基板と反対側から抜脱を可能に係止すべき係止孔を設けることにより、基板の導線接続部に接続される導線を、基板と反対側でクランプにより仮止めすることができ、また、基板支持板が取付けられる際に、クランプを容易に取外すことができる電子機器を提供することにある。
【００１２】
また、他の目的は係止孔を、第１孔部及び該第１孔部の縁に連なり、係止凸部が挿入される第２孔部を有する構成とし、第１孔部を、係止凸部の挿入方向と交差する方向へ移動されることにより該係止凸部を抜脱することができる構成とすることにより、クランプの挿脱操作を比較的小さい操作力で簡易に行うことができる電子機器を提供することにある。
【００１３】
また、他の目的は導線接続部を基板の面方向へ離隔した複数箇所に配し、係止孔を、各導線接続部に対応する個数を配し、各係止孔の各第１孔部を各第２孔部に対して同じ方向に配することにより、複数の係止孔からクランプの係止凸部を抜脱する際、全てのクランプを前記同じ方向へ移動させることにより抜脱することができる電子機器を提供することにある。
【００１４】
また、他の目的は第１孔部を大径の円形とし、第２孔部を小径の円形とし、第１孔部と第２孔部とが重なっている構成とすることにより、基板支持板に複数種類の孔が開設されている場合においても、他の孔と間違えることなくクランプを嵌挿係止することができる電子機器を提供することにある。
【００１５】
また、他の目的は基板支持板を、基板側へ立上り、且つ基板支持板が支持される支持部材に取付けられるべき複数の立上部を有する構成とすることにより、基板周りの放熱性を高めることができる電子機器を提供することにある。
【００１６】
また、他の目的は一端が基板の導線接続部に接続され、他端にコネクタを有する導線と、該導線を掴んでいる掴部及び係止孔に抜脱を可能に係止されている係止凸部を有するクランプとを備えることにより、導線が接続されている電子機器が表示装置等に搭載されるまでの取扱性を向上することかできる電子機器を提供することにある。
【００１７】
また、他の目的は前側に表示面を有し、後側に第２導線接続部を有する表示部と、該表示部の後側に取付けられる前述した電子機器と、一端が基板の導線接続部に接続され、他端が第２導線接続部に接続されている導線と、該導線を掴んでいる掴部及び前記表示部に係止されている係止凸部を有するクランプとを備えることにより、導線を適宜の配線経路に容易に配線することができ、組立作業性を向上できる表示装置を提供することにある。
【００１８】
また、他の目的は前記基板支持板の係止孔から抜脱された係止凸部が嵌挿される嵌挿孔を表示部の後側の面に設けることにより、導線の中間を表示部に固定する専用のクランプをなくすることができる表示装置を提供することにある。
【００１９】
また、他の目的は導線接続部を基板の面方向へ離隔した複数箇所に配し、嵌挿孔を前記後側の面方向へ離隔した複数箇所に配し、各嵌挿孔側に係止孔を配することにより、クランプの係止凸部を係止孔から所定の嵌挿孔へ嵌め替える作業を迅速に行うことができる表示装置を提供することにある。
【００２０】
また、他の目的は基板の実装面を表示部の後側の面と対向させることにより、基板周りの放熱性を高めることができる表示装置を提供することにある。
【課題を解決するための手段】
【００２１】
本発明に係る電子機器は、導線接続部を有し、電子部品を実装してなる基板と、一面に該基板を取付けてある基板支持板とを備える電子機器において、前記基板支持板は、前記導線接続部に接続される導線を掴む掴部及び係止凸部を有するクランプの前記係止凸部を前記基板と反対側から抜脱を可能に係止すべき係止孔を設けてあることを特徴とする。
【００２２】
この発明にあっては、クランプの係止凸部を抜脱を可能に係止すべき係止孔が基板支持板の基板と反対側から抜脱を可能に設けられているため、基板の導線接続部に接続される導線の中間を、基板と反対側でクランプにより仮止めすることができ、また、基板支持板が取付けられる際に、クランプを容易に取外すことができ、導線の仮止め／解除の作業性を向上できる。
【００２３】
また、本発明に係る電子機器は、前記係止孔は第１孔部及び該第１孔部の縁に連なり、前記係止凸部が挿入される第２孔部を有し、前記第１孔部は前記係止凸部の挿入方向と交差する方向へ移動されることにより該係止凸部を抜脱することを可能としてあることを特徴とする。
【００２４】
この発明にあっては、係止凸部を挿入方向と交差する方向へ移動させることにより、該係止凸部を第１孔部から抜脱することができるため、クランプの抜脱操作を比較的小さい操作力で簡易に行うことができ、クランプによる導線の仮止め／解除の作業性を向上できる。
【００２５】
また、本発明に係る電子機器は、前記導線接続部は基板の面方向へ離隔した複数箇所に配してあり、前記係止孔は、各導線接続部に対応する個数を配してあり、各係止孔の各第１孔部を各第２孔部に対して同じ方向に配してあることを特徴とする。
【００２６】
この発明にあっては、複数の係止孔からクランプの係止凸部を抜脱する際、全てのクランプを等しい動作で抜脱することができ、クランプによる導線の仮止め／解除の作業性をより一層向上することができる。
【００２７】
また、本発明に係る電子機器は、前面第１孔部は大径の円形をなし、前記第２孔部は小径の円形をなし、前記第１孔部と第２孔部とは重なっていることを特徴とする。
【００２８】
この発明にあっては、係止孔が略ダルマ形をなすため、基板支持板に複数種類の孔が開設されている場合においても、他の孔と間違えることなくクランプを嵌挿係止することができ、また、クランプを挿入すべき箇所及び抜脱すべき方向を分かり易くすることができ、クランプによる導線の仮止め／解除の作業性をより一層向上することができる。
【００２９】
また、本発明に係る電子機器は、前記基板支持板は、前記基板側へ立上り、且つ基板支持板が支持される支持部材に取付けられるべき複数の立上部を有することを特徴とする。
【００３０】
この発明にあっては、立上部を支持部材に取付けた際、基板の実装面を表示部等の支持部材と離隔して対向させ、基板と支持部材との間に電子部品を配置することができるため、電子部品が発生する熱を支持部材と離隔した側へ逃がし易くでき、基板周りの放熱性を高めることができる。
【００３１】
また、本発明に係る電子機器は、一端が前記導線接続部に接続され、他端にコネクタを有する導線と、該導線を掴んでいる掴部及び前記係止孔に抜脱を可能に係止されている係止凸部を有するクランプとを備えることを特徴とする。
【００３２】
この発明にあっては、基板の導線接続部に接続されている導線の中間がクランプにより掴まれ、該クランプが基板支持板に係止されているため、比較的長い導線が接続されている電子機器であっても、該電子機器が表示装置等に搭載されるまでの取扱性を向上できる。
【００３３】
また、本発明に係る表示装置は、前側に表示面を有し、後側に第２導線接続部を有する表示部と、該表示部の後側に取付けられる前述の発明の電子機器と、一端が前記導線接続部に接続され、他端が前記第２導線接続部に接続されている導線と、該導線を掴んでいる掴部及び前記表示部に係止されている係止凸部を有するクランプとを備えることを特徴とする。
【００３４】
この発明にあっては、電子機器が表示部に搭載される前に導線が基板に接続されており、また、基板と反対側で導線の中間を仮止めしているクランプを基板支持板の係止孔から抜脱することができるため、表示部の後側の適宜の配線経路に導線を容易に配線することができ、表示装置の組立作業性を向上できる。
【００３５】
また、本発明に係る表示装置は、前記基板支持板の係止孔から抜脱された前記係止凸部が嵌挿される嵌挿孔を前記表示部の後側の面に設けてあることを特徴とする。
【００３６】
この発明にあっては、基板支持板の係止孔から抜脱されたクランプを表示部の嵌挿孔に嵌挿して導線の中間を固定することができるため、換言すると導線の中間を仮止めするクランプと、導線の中間を表示部に固定するクランプとを兼用にできるため、導線の中間を表示部に固定する専用のクランプをなくすることができ、表示装置の組立作業性を向上できることと相俟って表示装置のコストを低減できる。
【００３７】
また、本発明に係る表示装置は、前記導線接続部は基板の面方向へ離隔した複数箇所に配してあり、前記嵌挿孔は前記後側の面方向へ離隔した複数箇所に配してあり、各嵌挿孔側に前記係止孔を配してあることを特徴とする。
【００３８】
この発明にあっては、仮止め用の係止孔に係止されているクランプを取外し、該クランプを本止め用の所定の嵌挿孔に嵌挿して固定する際、係止孔から所定の嵌挿孔への嵌め替え作業を迅速に行うことができ、表示装置の組立作業性を向上できる。
【００３９】
また、本発明に係る表示装置は、前記電子機器は、基板の実装面が前記表示部の後側の面と対向していることを特徴とする。
【００４０】
この発明にあっては、基板の実装面が表示部の後側の面と離隔して対向し、基板と表示部との間に電子部品が配置されているため、電子部品が発生する熱を表示部と離隔した側へ逃がし易くでき、基板周りの放熱性を高めることができる。
【発明の効果】
【００４１】
本発明によれば、基板の導線接続部に接続される導線の中間を、クランプにより仮止めすることができるとともに、基板支持板が搭載される際に、クランプを容易に取外すことができ、導線の仮止め／解除の作業性を向上できる。
【００４２】
また、本発明によれば、クランプの係止凸部を第２孔部に挿入して係止し、抜脱時には該係止凸部を挿入方向と交差する方向へ移動させることにより、クランプの抜脱操作を比較的小さい操作力で容易に行うことができ、クランプによる導線の仮止め／解除の作業性を向上できる。
【００４３】
また、本発明によれば、複数の係止孔からクランプの係止凸部を抜脱する際、全てのクランプを等しい動作で抜脱することができ、クランプによる導線の仮止め／解除の作業性をより一層向上することができる。
【００４４】
また、本発明によれば、基板支持板に複数種類の孔が開設されている場合においても、他の孔と間違えることなくクランプを挿嵌係止することができるとともに、クランプを挿入すべき箇所及び係止すべき方向を分かり易くすることができ、クランプによる導線の仮止め／解除の作業性をより一層向上することができる。
【００４５】
また、本発明によれば、基板と支持部材との間に電子部品を配置することができ、電子部品が発生する熱を支持部材と離隔した側へ逃がし易くでき、基板周りの放熱性を高めることができる。
【００４６】
また、本発明によれば、基板の導線接続部に接続されている導線の中間がクランプにより掴まれ、該クランプが基板支持板に係止されているため、導線が接続されている電子機器が表示装置等に搭載されるまでの取扱性を向上できる。
【００４７】
また、本発明によれば、電子機器が表示部に搭載される前に導線が基板に接続されており、また、導線を仮止めしているクランプを基板支持板の係止孔から抜脱することができるため、導線を適宜の配線経路に容易に配線することができ、表示装置の組立作業性を向上できる。
【００４８】
また、本発明によれば、導線の中間を仮止めするクランプと、導線の中間を表示部に固定するクランプとを兼用にできるため、導線の中間を表示部に固定する専用のクランプをなくすることができ、表示装置の組立作業性を向上できることと相俟って表示装置のコストを低減できる。
【００４９】
また、本発明によれば、仮止め用の係止孔に係止されているクランプを取外し、該クランプを本止め用の所定の嵌挿孔に嵌挿して固定する際、係止孔から所定の嵌挿孔への嵌め替え作業を迅速に行うことができ、表示装置の組立作業性を向上できる。
【００５０】
また、本発明によれば、電子部品が発生する熱を表示部と離隔した側へ逃がし易くでき、基板周りの放熱性を高めることができる。
【発明を実施するための最良の形態】
【００５１】
図１は本発明に係る表示装置の構成を示す模式的断面図、図２は分解した状態を示す後側の模式的斜視図、図３は電子機器の構成を示す模式的斜視図、図４は基板支持板の構成を示す前側の拡大斜視図、図５は基板支持板の構成を示す背面図、図６はクランプの構成を示す一部拡大斜視図、図７はクランプと係止孔との関係を示す斜視図、図８はクランプと嵌挿孔との関係を示す斜視図、図９は表示装置の構成を示す後側の模式的斜視図である。
【００５２】
図示した薄型の表示装置は、前側にパネル部１１を有し、後側に該パネル部１１へ光を照射するバックライト部１２を有し、略直方体をなす表示部１と、複数の基板２（メイン回路基板２１，サブ回路基板２２，電源回路基板２３）が装着されている基板支持板３を有し、表示部１の後面１ａに取付けられている電子機器Ａと、該電子機器Ａ及び表示部１に搭載されているインバータ回路基板等の部品とに接続されている複数の導線４１，４２，４３と、各導線４１，４２，４３の中間を表示部１に固定する複数のクランプ５と、表示部１の周縁部及び後側を被覆するキャビネット７とを備える液晶テレビジョンである。
【００５３】
パネル部１１は、前側に表示面を有し略直方体をなすパネル１１ａ、及び該パネル１１ａの後側に配置された拡散板等の光学シート１１ｂを備える。バックライト部１２は、前記光学シート１１ｂの後側に上下に並置され、該光学シート１１ｂ側へ光を照射する複数本のランプ１２ａと、該ランプ１２ａを収容支持するシャーシ１２ｂとを備える。前記ランプ１２ａは両端部に電極を有する冷陰極管であり、夫々のランプ１２ａの両端部の電極にインバータ回路基板１３，１３が接続され、パルス幅変調信号により明るさが制御されるように構成されている。
【００５４】
シャーシ１２ｂは略直方体をなし、表示部１の後側の面１ａの両側部には、バックライト部１２を駆動するインバータ回路基板１３，１３がビス等の雄螺子により取付けられており、後側の面１ａの下部で横方向中央部には、パネル部１１の駆動及び制御を行う制御回路基板１４がビス等の雄螺子により取付けられている。後側の面１ａの下部で、インバータ回路基板１３，１３及び制御回路基板１４の間には、円形をなし、前記クランプ５の係止凸部５１が嵌挿係止される複数の嵌挿孔１５が横方向に離隔して設けられている。インバータ回路基板１３，１３及び制御回路基板１４の夫々の一面には複数の電子部品１３ａ，１４ａ及び第２導線接続部１３ｂ，１４ｂが実装されている。
【００５５】
電子機器Ａは、パネル部１１に表示する映像を処理させるメイン回路基板２１及びサブ回路基板２２と、メイン回路基板２１及びサブ回路基板２２に電圧を供給する電源回路基板２３と、メイン回路基板２１、サブ回路基板２２及び電源回路基板２３を一面に取付けてある基板支持板３とを備える。
【００５６】
メイン回路基板２１、サブ回路基板２２及び電源回路基板２３の夫々の実装面には複数の電子部品２１ａ，２２ａ，２３ａ及び導線接続部２１ｂ，２２ｂ，２３ｂが実装されている。
【００５７】
基板支持板３は後側の面１ａと対向し、メイン回路基板２１，サブ回路基板２２及び電源回路基板２３が一面に取付けられる板部３１と、該板部３１の周縁から前記一面側（基板側）へ立上る枠状の立上部３２とを有する金属板からなり、立上部３２から外方へ延出された取付片がビス等の雄螺子で後側の面１ａに取付けられることにより、メイン回路基板２１，サブ回路基板２２及び電源回路基板２３の各実装面を後側の面１ａと離隔して対向させ、各実装面と後側の面１ａとの間に電子部品２１ａ，２２ａ，２３ａ及び導線接続部２１ｂ，２２ｂ，２３ｂを配置するように構成されている。
【００５８】
板部３１は直方形をなし、長手方向一側の一面にメイン回路基板２１とサブ回路基板２２とが長手方向に並べて装着され、長手方向他側の一面に電源回路基板２３が装着されており、メイン回路基板２１，サブ回路基板２２及び電源回路基板２３の周縁部と対向する箇所に、板部３１を貫通し、クランプ５を基板と反対側から挿脱することを可能とした複数の係止孔３３が開設されている。
【００５９】
係止孔３３は、図２及び図７に示すように円形をなす大径の第１孔部３３ａと、円形をなし、第２孔部３３ｂの縁に連なる大径の第１孔部３３ａとを有する略ダルマ形をなしており、各導線接続部２１ｂ，２２ｂ，２３ｂに対応する個数が設けられている。各係止孔３３は図５に示すように各第１孔部３３ａが各第２孔部３３ｂに対して同じ方向となるように配し、後記する係止凸部５１が抜脱される方向を等しくすることができるようになしてある。
【００６０】
導線４１，４２，４３は夫々複数のケーブルからなり、一端に第１のコネクタ４１ａ，４２ａ，４３ａが結合され、他端に第２のコネクタ４１ｂ，４２ｂ，４３ｂが結合されている。
【００６１】
クランプ５は、導線４１，４２，４３の中間を個別に掴んでいる掴部５２及び係止孔３３に抜脱を可能に係止される係止凸部５１を有し、該係止凸部５１が基板支持板３の係止孔３３に挿脱され（図７参照）、また、係止孔３３から抜脱された後でシャーシ１２ｂの嵌挿孔１５に嵌挿係止（図８参照）されるように構成されている。
【００６２】
掴部５２は、図７に示すように一面に凹凸状の被係止部５２ａを有し、円環状に湾曲される可撓帯部５２ｂと、該可撓帯部５２ｂの一端に連なり、内側に爪部５２ｃを有する筒部５２ｄとを備え、可撓帯部５２ｂを筒部５２ｄ内に挿通することにより導線４の中間を緊締して掴み、爪部５２ｃの被係止部５２ａとの係合により可撓帯部５２ｂの抜脱を防止し、掴み状態を維持することができるように構成されている。
【００６３】
係止凸部５１は、図６、図７に示すように筒部５２ｄから可撓帯部５２ｂと反対側へ延出され、延出方向の途中に凸状の被係止部５１ａが設けられており、挿入時は係止孔３３の第２孔部３３ｂに嵌挿し、抜脱時には第１孔部３３ａ側（挿入方向と交差する方向）へ移動されることにより容易に抜脱可能に構成されている。また、係止凸部５１は図６に示されているように筒部５２ｄに連なる芯部５１ｂと、該芯部５１ｂの先端から筒部５２ｄ側へ立上がり、途中に被係止部５１ａが設けられている二つの可撓部５１ｃ，５１ｃとを有する。各可撓部５１ｃ，５１ｃの先端は筒部５２ｄの可撓帯部５１ｂ側に連結部５１ｄ，５１ｄにより連結され、連結部５１ｄ，５１ｄを摘むことにより可撓部５１ｃ，５１ｃを撓ませることができるように構成されている。
【００６４】
キャビネット７は、図１に示すように表示部１の周縁部を被覆する枠部７１と、深皿形をなし、表示部１の後側を被覆する蓋板部７２とを有しており、枠部７１及び蓋板部７２がシャーシ１２ｂの周縁部に複数のビス等の雄螺子により取付けられている。蓋板部７２の下部で基板支持板３の下側に、外部の空気をキャビネット７内に吸気する長孔状の吸気口７３を設け、蓋板部７２の上部で基板支持板３の上側に、キャビネット７内の空気を自然循環で外部へ排気する長孔状の排気口７４を設けてある。
【００６５】
以上のように構成された薄型の表示装置は、図９に示すように後側の面１ａに二つのインバータ回路基板１３，１３及び制御回路基板１４が取付けられている表示部１と、電子機器Ａとが各別に組立てられ、表示部１の後側の面１ａに電子機器Ａが搭載された後、キャビネット７が表示部１に取付けられる。
【００６６】
電子機器Ａは、メイン回路基板２１，サブ回路基板２２及び電源回路基板２３を一面に取付けてある基板支持板３が、板部３１と表示部１の後側の面１ａとの間に各回路基板２１，２２，２３及び電子部品２１ａ，２２ａ，２３ａが配置されるように後側の面に取付けられるため、基板支持板３が取付られる前に、各回路基板２１，２２，２３の導線接続部２１ｂ，２２ｂ，２３ｂに導線４１，４２，４３の第１のコネクタ４１ａ，４２ａ，４３ａが接続される。この際、基板支持板３の板部３１には基板と反対側から係止凸部５１を挿脱することができる複数の係止孔３３が開設されているため、導線接続部２１ｂ，２２ｂ，２３ｂに接続された各導線４１，４２，４３の中間をクランプ５の掴部５２で各別に掴み、各クランプ５の係止凸部５１を係止孔３３に各嵌挿することにより各導線４１，４２，４３の中間を基板支持板３に仮止めすることができる。
【００６７】
基板支持板３の各係止孔３３は、第１孔部３３ａ及び第２孔部３３ｂを有する略ダルマ形をなしているため、クランプ５の係止凸部５１を基板支持板３の基板と反対側から第１孔部３３ａに嵌挿し、第２孔部３３ｂ側へ移動させることにより（図７の実線矢印参照）、係止凸部５１の被係止部５１ａを第２孔部３３ｂに係止することができ、クランプ５による導線４１，４２，４３の仮止め作業を簡易にできる。また、また、各係止孔３３の第１孔部３３ａは第２孔部３３ｂに対して同じ方向、換言すると係止凸部５１が移動される方向を等しくする方向に配してあるため、全てのクランプ５を等しい動作で、即ち、第１孔部３３ａ側へ移動させることにより（図７の破線矢印参照）第２孔部３３ｂから抜脱することができる。また、クランプ５の係止凸部５１を第２孔部３３ｂに直接挿入し、係止してもよい。
【００６８】
導線４１，４２，４３の中間を仮止めしてある電子機器Ａは梱包箱等により梱包されて搬送され、基板支持板３の立上部３２が表示部１の後側の面１ａに雄螺子により取付けられる。この際、導線４１，４２，４３の中間を掴むクランプ５は、基板支持板３の係止孔３３から抜脱することが可能に係止されているため、係止孔３３の第２孔部３３ｂに係止されている係止凸部５１を第１孔部３３ａ側へ移動させることにより（図７の破線矢印参照）、第１孔部３３ａから抜脱することができ、導線４１，４２，４３の中間の仮止めを容易に解除することができる。
【００６９】
この場合、表示部１の後側の面１ａには複数の嵌挿孔１５が開設されているため（図２参照）、仮止めを解除した後のクランプ５の係止凸部５１を嵌挿孔１５に嵌挿することにより（図９参照）、該クランプ５を嵌挿孔１５に係止することができ、クランプ５により導線４１，４２，４３の中間を表示部１に固定することができる。因って、導線４１，４２，４３の中間を表示部１に固定する専用のクランプ５を用いることなく、導線４１，４２，４３の中間を表示部１の後側の面１ａに固定することができる。
【００７０】
組立作業者の作業効率の点から説明すると、まず、係止孔３３が小径の円形孔であった場合を考える。作業者はクランプ５の連結部５１ｄを摘むことによって基板支持板３に仮止めされているクランプ５を抜脱する。一回のみの作業であれば、連結部５１ｄを摘む際に若干の力を加えるのみであり、それほどの困難性はない。しかし、作業者は一日に同じ作業を数百回繰り返すことになり、連結部５１ｄを摘むための若干の力も作業負担として大きくなる。それに対して、本発明の係止孔３３は第２孔部３３ｂの縁に連なる大径の第１孔部３３ａを有する略ダルマ形であるため、作業者は、クランプ５を抜脱する際、連結部５１ｄを摘む必要はなく、大径の第１孔部３３ａ方向へクランプ５を移動（スライド）させるのみでよい。そのため、作業者の作業負担を軽減することができる。
【００７１】
次に小径の第２孔部３３ｂに連なる大径の第１孔部３３ａの方向が一定でない場合は、作業者は夫々のクランプ５ごとにクランプ５をスライドさせる方向を変えなければならない。それに対して本発明の係止孔３３は、小径の第２孔部３３ｂに連なる大径の第１孔部３３ａの方向を一方向にしてあるため、作業者はクランプ５を抜脱する際常に一方向にスライドさせればよく、作業者の作業負担を軽減することができる。
【００７２】
また、仮止め用に使用する基板支持板３上の係止孔３３と本止め用の表示部１の後側の面１ａの嵌挿孔１５を同一方向あるいは両方の孔が関連あると認識される位置にすることにより、作業性を改善することができる。たとえば、クランプ５の本止め用の嵌挿孔１５が表示部１の後側の面１ａの上部にある場合には仮止め用の係止孔３３も基板支持板３の上部に設けることによって、作業者は取付誤りをすることなく、表示部１の後側の面１ａの上部の本止め用の嵌挿孔１５に取付けることができる。
【００７３】
尚、以上説明した実施の形態では基板支持板３にメイン回路基板２１，サブ回路基板２２，電源回路基板２３等の複数の基板を装着してある構成としたが、その他、基板は一つであってもよい。
【００７４】
また、以上説明した実施の形態では基板支持板３にダルマ形をなす係止孔３３を設けたが、その他、係止孔３３は角形をなす大小二つの孔の縁が連なる略凸形としてもよく、係止凸部５１を嵌挿する嵌挿孔部と、該嵌挿孔部に嵌挿された係止凸部５１を嵌挿方向と交差する方向へ移動させて係止する係止孔部とを有するものであればよく、その形状は特に制限されない。
【００７５】
また、表示部１の後側の面１ａには円形をなす嵌挿孔１５を開設してあるが、その他、嵌挿孔１５は係止孔３３と同様にダルマ形、凸形をなす形状であってもよく、その形状は特に制限されない。
【００７６】
また、以上説明した実施の形態では可撓帯部５２ｂを有するクランプ５を備える構成としたが、その他、クランプ５は、係止凸部５１に連なる凹部及び該凹部の一端に薄肉ヒンジにより連なり、凹部の他端側で係止される可動片を有し、該可動片と凹部との間で導線４１，４２，４３を掴むように構成してもよく、掴部の構成は特に制限されない。また、係止凸部５１は摘み操作により撓ませることができる構成としたが、その他、非撓み構造としてもよく、係止凸部５１の構成は特に制限されない。
【００７７】
また、以上説明した実施の形態では表示装置に搭載される電子機器Ａを備える構成としたが、電子機器Ａは表示装置以外に使用されてもよい。
【００７８】
また、本発明に係る表示装置は液晶テレビジョン等の液晶表示装置である他、プラズマ表示装置、ＥＬディスプレイ等の表示装置であってもよい。
【図面の簡単な説明】
【００７９】
【図１】本発明に係る表示装置の構成を示す模式的断面図である。
【図２】本発明に係る表示装置の分解した状態を示す後側の模式的斜視図である。
【図３】本発明に係る電子機器の構成を示す模式的斜視図である。
【図４】本発明に係る電子機器の基板支持板の構成を示す前側の拡大斜視図である。
【図５】本発明に係る電子機器の基板支持板の構成を示す背面図である。
【図６】本発明に係る電子機器のクランプの構成を示す一部拡大斜視図である。
【図７】本発明に係る電子機器のクランプと係止孔との関係を示す斜視図である。
【図８】本発明に係る表示装置のクランプと嵌挿孔との関係を示す斜視図である。
【図９】本発明に係る表示装置の構成を示す後側の模式的斜視図である。
【図１０】従来の表示装置の構成を示す模式的断面図である。
【図１１】従来の表示装置の構成を示す後側の模式的斜視図である。
【符号の説明】
【００８０】
Ａ    電子機器
１    表示部
１ａ  後側の面
１３  インバータ回路基板
１４  制御回路基板
１３ｂ，１４ｂ  第２導線接続部
１５  嵌挿孔
２１  メイン回路基板（基板）
２２  サブ回路基板（基板）
２３  電源回路基板（基板）
２１ａ，２２ａ，２３ａ  電子部品
２１ｂ，２２ｂ，２３ｂ  導線接続部
３    基板支持板
３２  立上部
３３  係止孔
３３ａ  第１孔部
３３ｂ  第２孔部
４１，４２，４３  導線
４１ｂ，４２ｂ，４３ｂ  コネクタ
５    クランプ
５１  掴部
５２  係止凸部
【図１】
2008197579.tif 000003
【図２】
2008197579.tif 000004
【図３】
2008197579.tif 000005
【図４】
2008197579.tif 000006
【図５】
2008197579.tif 000007
【図６】
2008197579.tif 000008
【図７】
2008197579.tif 000009
【図８】
2008197579.tif 000010
【図９】
2008197579.tif 000011
【図１０】
2008197579.tif 000012
【図１１】
2008197579.tif 000013
【手続補正書】
【提出日】平成19年2月16日(2007.2.16)
【手続補正１】
【補正対象書類名】図面
【補正対象項目名】図１
【補正方法】変更
【補正の内容】
【図１】
2008197579.tif 000014